(57)【特許請求の範囲】
【請求項１】
押圧ボタンを有する上面と、
前記上面の前方側において鈍角で接する、または、前記上面とつながり鈍角方向に曲がる前方面と、
前記前方面と鋭角で接するとともに、前記上面の左右及び後ろ方向において鋭角で接する下面と、
を備えたことを特徴とするリモートコントロール装置。
【請求項２】
押圧ボタンを有する上面と、  
前記上面と鈍角で接する、または、前記上面とつながり鈍角方向に曲がる前方面と、
前記前方面の前方側において鋭角で接する下面と、
前記上面と鋭角で接するとともに、前記下面に対し鈍角で接するまたは前記下面とつながり鈍角方向に曲がる、右側方面、左側方面及び後方面と、
を備えたことを特徴とするリモートコントロール装置。
【請求項３】
前記鈍角で接する２面の接線と、前記鋭角で接する２面の接線には、共に円弧上の面取りが施されており、前記鋭角で接する２面の接線の前記面取りの円弧の半径よりも、前記鈍角で接する２面の接線の前記面取りの円弧の半径の方が大きいことを特徴とする１または２に記載のリモートコントロール装置。
【請求項４】
前記前方面、前記後方面、前記下面のいずれかに、鍵を収納するための鍵収納部を備えたことを特徴とする１乃至３のいずれか１項に記載のリモートコントロール装置。
【請求項５】
前記上面と前記下面とは平行であることを特徴とする２乃至４のいずれか１項に記載のリモートコントロール装置。
【発明の詳細な説明】
【技術分野】
【０００１】
本発明は、リモートコントロール装置に関するものである。
【背景技術】
【０００２】
自動車用の始動用またはドア施錠用のキーにおいて、キーのケース部に押圧ボタンを設け、その押圧ボタンの操作でドアの施錠やエンジンの始動を行うリモートコントロール装置がある（特許文献１参照）。
また、最近では住宅用のドアの鍵の施錠と解錠を、鍵を鍵穴に差し込むことなく、リモートコントロール装置でおこなうケースもある。自動車用、住宅用の施錠用のリモートコントロール装置は、押圧ボタンの数も少なく、かつ、その大きさが手で握った場合にケース全体もしくは大部分を覆われる程度のものが多い。
【先行技術文献】
【特許文献】
【０００３】
【特許文献１】特開平０８−１６５８２６号公報
【発明の概要】
【発明が解決しようとする課題】
【０００４】
特許文献１記載のリモートコントロール装置のケース部分は、キーの軸に対して左右及び上下がほぼ対象な形状をしている。たとえば押圧ボタンを押すために、ポケットまたはバックなどから手さぐりでリモートコントロール装置を取り出す際に、手で覆うように握った瞬間には押圧ボタンが親指に接しているかはわからない。したがって、リモートコントロール装置を手で握った後、親指が押圧ボタンに接しているかを確認することで、リモートコントロール装置を正しい位置で握っているか否かを判断するため、正しい位置で握っているか否かを判断するのに時間を要するという問題があった。
【０００５】
本発明は、上記の問題を解決するためになされたものであり、手で握った瞬間に正しい位置で握っているか否かを判断できるリモートコントロール装置を得ることを目的とする。
【課題を解決するための手段】
【０００６】
本発明におけるリモートコントロール装置において、押圧ボタンを有する上面と、上面の前方側において鈍角で接する、または、上面とつながり鈍角方向に曲がる前方面と、前方面と鋭角で接するとともに、上面の左右及び後ろ方向において鋭角で接する下面と、を備えた。
【発明の効果】
【０００７】
本発明によれば、押圧ボタンを有する上面と、上面の前方側において鈍角で接する、または、上面とつながり鈍角方向に曲がる前方面と、前方面と鋭角で接するとともに、上面の左右及び後ろ方向において鋭角で接する下面と、を備えたので、最初の少なくとも人差し指と中指でリモートコントロール装置をつかんだ時に、その握った感覚でリモートコントロール装置が正しい位置でつかんでいるか否かを確認することができる。
【図面の簡単な説明】
【０００８】
【図１】実施の形態１におけるリモートコントロール装置を示す図。
【図２】実施の形態１におけるリモートコントロール装置を手で握った時の前方側から見た図。
【図３】実施の形態１におけるリモートコントロール装置を手で握った時の右側面側から見た図。
【図４】実施の形態１におけるリモートコントロール装置を手で握った時の上面側から見た図。
【図５】実施の形態１におけるリモートコントロール装置の別形状を示す図。
【発明を実施するための形態】
【０００９】
実施の形態１．
図１は、実施の形態１におけるリモートコントロール装置を示す図である。
【００１０】
図１は、リモートコントロール装置の外形を六面図で示しており、下面１と並行な上面２、右側面３、左側面４、前方面５、及び後方面６から外形を構成している。また、上面にはリモコン用ボタンとして機能する押圧ボタン７が配設されている。また、後方面６側には、リモコンが動作しなかった場合に、エンジンの始動もしくは家のドアの解錠をするための鍵を収納するための鍵収納部８が配置されている。
鍵収納部８については、必ずしも後方面６側につける必要はなく、前方面５側につけてもよい。また、図示しないものの、鍵収納部８から鍵を取り出す機構が別途備えられている。さらに押圧ボタン７については一つのみ表示されているが、複数であってもよいし、また押圧ボタン７の形状についても円形状に限らない。
【００１１】
また、図１において、下面１を構成する境界は、前方面側を除いて、上方から見た場合に上面２の境界よりも内側に位置している。したがって、下面１と、右側面３、左側面４及び後方面６とのなす角は鈍角となるとともに、下面１と上面２とは平行に構成されているため、上面２と、右側面３、左側面４及び後方面６とのなす角は鋭角となる。
【００１２】
一方で、図１において、下面１を構成する境界は、前方側については、上方から見た場合に上面２の境界よりも外側に位置している。したがって、下面１と前方面５とのなす角は鋭角となるとともに、上面２と前方面５とのなす角は鈍角となる。
また、図示していないが、各々の面と接する辺については面取りが施されている。特に手で持つものであることから、円弧上に面取りされている。
【００１３】
次に、使用時の動作について説明する。
図２は、実施の形態１におけるリモートコントロール装置を手で握った時の前方側から見た図である。
図３は、実施の形態１におけるリモートコントロール装置を手で握った時の右側面側から見た図である。
図４は、実施の形態１におけるリモートコントロール装置を手で握った時の上面側から見た図である。
【００１４】
図２、図３、図４から見て分かるように、通常、押圧ボタン７を親指で押すため、押圧ボタン７がある上面２が親指側となる。すると、人差し指または中指が、左側面４、下面１、右側面３と接して、リモートコントロール装置を保持することとなる。その時、人差し指と中指はリモートコントロール装置を包み込むように保持している。
【００１５】
リモートコントロール装置包み込むように保持するために、人差し指と中指の内側は、図２に示すように、上側ほど左右に広く、下側ほど狭くなっている。したがって、上面２の左右側を広く、下面１側の左右を狭くすることで、リモートコントロール装置を持った際に、上面１の左右端部の鋭角部分と接することがないため、違和感なく持つことができる。仮に上下が逆の場合は、下側に上面２があり、上面１の左右端部が鋭角で構成されているため、人差し指と中指の内側で鋭角部分を強く認識することとなるため、持った時に違和感を覚えることとなる。
よって、押圧ボタン７を有する上面２と、右側面３及び左側面４との左右端部を鋭角で構成することで、親指側に押圧ボタン７があるか否かを瞬時に判断できる。
【００１６】
しかし、上面２と、右側面３及び左側面４との左右端部を鋭角で構成することだけでは、手で握った瞬間に正しい位置で握っているか否かを即座に判断できない。前方面５と後方面６とが正しい位置にあるか否かを判断できないためである。そこで、後方面６と前方面５の角度が重要となる。
図３に示すように、中指が接する下面１と後方面６とは鈍角で交わっているため、手でリモートコントロール装置を持った際に、その部分については強く認識することはない。しかしながら、仮に前後が逆の場合は、下面１と前方面５との鋭角で交わる部分が中指等と接するため、その鋭角部分を中指が強く認識し、違和感を覚えることとなる。
【００１７】
また、ポケットまたはバックなどから手さぐりでリモートコントロール装置を取り出すためにつかむ時は、最初に、少なくとも人差し指と中指でリモートコントロール装置をつかみ、その後、親指を当てて押圧ボタン７があるかどうかを確認する。
したがって、最初の少なくとも人差し指と中指でリモートコントロール装置をつかんだ時に、その握った感覚でリモートコントロール装置が正しい位置でつかんでいるか否かを確認することができる。
【００１８】
以上のように、実施の形態１おけるリモートコントロール装置は、押圧ボタン７が配置される上面２と、上面２と鋭角で接する、右側方面３、左側方面４及び後方面６と、上面２と鈍角で隣接する前方面５と、右側方面３、左側方面４、後方面６及び前方面５と接する下面１を備えたので、最初の少なくとも人差し指と中指でリモートコントロール装置をつかんだ時に、その握った感覚でリモートコントロール装置が正しい位置でつかんでいるか否かを確認することができる。
【００１９】
尚、本実施の形態の説明においては、リモートコントロール装置の外形をなす各辺の面取りについては、円弧上であることのみ説明したが、鋭角で接する面同士からなる辺と、鈍角で接する面同士からなる辺の面取りする円弧上の半径を、鈍角で接する方を鋭角で接する方より大きくすることで、握った時の正しい位置の場合のより自然な感覚と誤った位置の時の違和感との差を大きくすることができる。
【００２０】
さらに、本実施の形態の説明の図においては、上面２と下面１を平行であるとして説明したが、例えば、前方面５側での上面２と下面１との距離を大きく、後方面６側での上面２と下面１との距離を小さくすることで、より正しい位置で握った再に自然な感覚を与えることもできる。
【００２１】
さらに、本実施の形態の説明の図においては、リモートコントロール装置の外形をなす各辺は直線であるとして説明しているが、デザイン性などから、曲線で構成させることも可能である。また、各面についても平面を前提に説明しているが、デザイン性や握った感触を考慮して自由曲面としても可能である。
【００２２】
さらに、上面２と右側方面３、左側方面４及び後方面６とは鈍角で接すると説明しているが、例えば右側方面３、左側方面４及び後方面６が鈍角方向に曲がる自由曲面や円柱面で構成する場合は、上面２と、右側方面３、左側方面４及び後方面６とが接する辺については、角を構成しないため、円弧上の面取りを施す必要はない。
【００２３】
さらに、リモートコントロール装置が６面で構成する立体であるとして説明したが、実施の形態１で記載した実施例から次のように集約される。上面２とその左右及び後ろ方向の接する面とが鋭角で接すること、及び上面２の前方側へは、鈍角で接するまたは鈍角方向に曲がる面とつながるとともに、鈍角で接するまたは鈍角方向に曲がる前方面と、上面と鋭角で接する左右及び後ろ方向の接する下面と、が鋭角で接することでも同様の効果を奏することができる。
【００２４】
上記の説明を具現化した例を図５に示す。
図５は、実施の形態１におけるリモートコントロール装置の別形状を示す図である。上面２と下面１は、その左右及び後ろ方向において鋭角で接している。また、上面２の前方側へは、鈍角で接するまたは鈍角方向に曲がる前方面５とつながるとともに、前方面５と下面１の前方側が鋭角で接している。鍵収納部８は下面１に配置されている。
【００２５】
したがって、リモートコントロール装置はまた、押圧ボタン７を有する上面２と、上面２の前方側において鈍角で接するまたは上面とつながり、鈍角方向に曲がる前方面５と、前方面５と鋭角で接するとともに、上面２の左右及び後ろ方向において鋭角で接する下面１と、を備えたので、最初の少なくとも人差し指と中指でリモートコントロール装置をつかんだ時に、その握った感覚でリモートコントロール装置が正しい位置でつかんでいるか否かを確認することができる。
【符号の説明】
【００２６】
１  下面
２  上面
３  右側面
４  左側面
５  前方面
６  後方面
７  押圧ボタン
８  鍵収納部
【図１】
0006287679.tif 000002
【図２】
0006287679.tif 000003
【図３】
0006287679.tif 000004
【図４】
0006287679.tif 000005
【図５】
0006287679.tif 000006